(57)【要約】ディスクを搬送ローラによって装置本体に対し挿入／排出を行うディスク装置において、前記搬送ローラの昇降動作、前記ディスクをターンテーブル上に押圧保持するアームクランプの昇降動作、前記ターンテーブルを設けた再生ベースのロック・ロック解除動作を行うスライダ部材を備え、前記アームクランプの係合部及び前記再生ベースの係合部とを一箇所で係合する係合部を前記スライダ部材に設けたものである。
2009057234.tif 000002
【特許請求の範囲】
【請求項１】
ディスクを搬送ローラによって装置本体に挿入／排出を行うディスク装置において、前記搬送ローラの昇降動作、前記ディスクをターンテーブル上に押圧保持するアームクランプの昇降動作、前記ターンテーブルを設けた再生ベースのロック・ロック解除動作を行うスライダ部材を備え、前記アームクランプの係合部及び前記再生ベースの係合部とを一箇所で係合する係合部を前記スライダ部材に設けたことを特徴とするディスク装置。
【請求項２】
スライダ部材の係合部が溝であるときはアームクランプの係合部及び再生ベースの係合部はピンであり、前記スライダ部材の係合部がピンであるときは前記アームクランプの係合部及び前記再生ベースの係合部はカム状の係合部であることを特徴とする請求項１記載のディスク装置。
【請求項３】
係合溝の入口部には、ピンを係合溝に導く導入案内斜面を設けたことを特徴とする請求項２記載のディスク装置。
【請求項４】
係合溝の幅はピンの直径と近似していることを特徴とする請求項２記載のディスク装置。
【発明の詳細な説明】
【技術分野】
【０００１】
この発明は、ディスクを搬送ローラによって装置本体に挿入／排出を行うディスク装置に関するものである。
【背景技術】
【０００２】
従来のディスク装置では、搬送ローラの昇降動作、ディスクをターンテーブル上に押圧保持するアームクランプの昇降動作、ターンテーブルを設けた再生ベースのロック・ロック解除動作を行うスライダ部材には、例えば、特許文献１に示されるように、搬送ローラ昇降用カム、アームクランプ昇降用カム、再生ベースロック用の係合溝がそれぞれ専用に設けられている。【０００３】
【特許文献１】特開２００３−１２３３５８号公報
【０００４】
しかし、上記のように従来のディスク装置におけるスライダ部材の構成では、再生ベースのロック箇所と上昇位置にあるアームクランプの支持箇所が異なるため、装置内部でのガタによりスライダ部材の姿勢や、各カム部の仕上がり寸法変動により、再生ベースから見た場合のアームクランプの相対的上昇高さは影響を受けやすい。相対的なアームクランプの上昇高さが低い場合、すなわち、再生ベースとアームクランプ間に設けられた間隙が上記の影響により狭い場合、再生位置まで搬送されるディスクがアームクランプや再生ベース上の部品に当接し、ディスク表面を傷付ける可能性がある。また、各動作用のカムを一部品に形成する必要があり、スライダ部材が装置の奥行き方向に大きくなるため、装置の大型化を招くことになる。【０００５】
この発明は、上記のような課題を解決するためになされたもので、再生ベースとアームクランプ間に必要な間隔を確実に確保でき、かつ装置の小型化を図ることができるディスク装置を得ることを目的とする。
【発明の開示】
【０００６】
この発明に係るディスク装置は、搬送ローラの昇降動作、ディスクをターンテーブル上に押圧保持するアームクランプの昇降動作、ターンテーブルを設けた再生ベースのロック・ロック解除動作を行うスライダ部材を備え、前記アームクランプの係合部及び前記再生ベースの係合部とを一箇所で係合する係合部を前記スライダ部材に設けたものである。
【０００７】
この発明によれば、アームクランプの係合部及び再生ベースの係合部とを一箇所で係合する係合部をスライダ部材に設けたので、その係合部同士の係合によってアームクランプと再生ベースの高さ位置が決定される。つまり、アームクランプと再生ベースのピンの位置が一つのカム溝内で決定されるため、従来にみられた各カム溝の仕上がり寸法変動やガタによるスライド部材の姿勢に影響を受けることがない。また、スライダ部材の一箇所の係合部にアームクランプの係合部及び再生ベースの２つの係合部を係合させる構成であるから、装置の大型化を防止することができるという効果がある。
【図面の簡単な説明】
【０００８】
【図１】この発明の実施の形態１によるディスク再生装置のディスク挿入待機状態における主要部のみを示す平面図である。
【図２】図1の右側面図である。
【図３】ディスクが挿入された状態を示す平面図である。
【図４】図３の右側面図である。
【図５】ディスク再生状態を示す平面図である。
【図６】図５の右側面図である。
【図７】ディスク挿入待機状態における主要部のみを示す拡大斜視図である。
【図８】ディスク再生状態における主要部のみを示す拡大斜視図である。
【図９】この発明の実施の形態２によるディスク再生装置のディスク挿入待機状態における主要部のみを示す拡大斜視図である。
【図１０】ディスク再生状態における主要部のみを示す拡大斜視図である。
【発明を実施するための最良の形態】
【０００９】
以下、この発明をより詳細に説明するために、この発明を実施するための最良の形態について、添付の図面に従って説明する。
実施の形態１．
図１はこの発明の実施の形態１によるディスク再生装置のディスク挿入待機状態における主要部のみを示す平面図、図２は図１の左側面図、図３はディスクが挿入された状態を示す平面図、図４は図３の左側面図、図５はディスク再生状態を示す平面図、図６は図５の左側面図、図７はディスク挿入待機状態における主要部のみを示す拡大斜視図、図８はディスク再生状態における主要部のみを示す拡大斜視図である。【００１０】
この発明の実施の形態１におけるディスク装置は、再生ベース１、アームクランプ２、ローラベース部材３、スライダ部材４を備えている。再生ベース１はターンテーブル１６を備え、図示しないシャーシ基板に対しロック・ロック解除するように設けられ、ロック解除されたときは緩衝部材係止部７に係止される緩衝部材（図示せず）を介してシャーシ基板に揺動自在に支持される。アームクランプ２は再生ベース１に回動自在に支持されている。【００１１】
ローラベース部材３は両端の略直角な側板３１，３１を図示しないシャーシ基板に対し軸３２，３２で回動自在に支持されている。そして、ディスク搬送ローラ６の両端部が側板３１，３１に回動自在に支持され、この側板３１を貫通したディスク搬送ローラ６の一端には、図示しないシャーシ基板に設けた駆動ギアと係脱するギア６１が設けられている。また、ローラベース部材３と図示しないシャーシ基板との間には、常にディスク搬送ローラ６を上昇させるように、ローラベース部材３に図２の矢印方向に回動力を付与するバネ８が設けられている。【００１２】
スライダ部材４は側板３１に沿って前後方向に移動可能に図示しないシャーシ基板に支持され、このスライダ部材４と図示しないシャーシ基板との間には該スライダ部材を後方へ付勢するバネ４５が設けられている。ディスク挿入検知レバー９は、ディスク５の挿入を検知して回動されたとき、スライダ部材４を前方（ディスク装置前面側）に移動させるように該スライダ部材に当接している。【００１３】
そして、上記側板３１に近接するスライダ部材４の略直角な側板４１の前端側にはディスク搬送ローラ６をバネ８の付勢力に抗して押し下げるカム部４２を有し、この側板４１の後端側には、再生ベース１の側板１１の外面に設けたピン１２、アームクランプ２の側板２１の外面に設けたピン２２を引き入れるカム溝４３を有する。また、スライダ部材４はカム溝４３と平行して前後方向にラック４４を有する。このラック４４には図示しないシャーシ基板に設けた駆動ギア１０が係脱するようになっている。【００１４】
次に動作について説明する。まず、図１、図２に示すディスク挿入待機状態においては、スライダ部材４はバネ４５の付勢力に引かれて後方に後退して待機位置に保持されている。この結果、ラック４４は駆動ギア１０から離脱し、スライダ部材４のカム部４２はディスク搬送ローラ６に作用しない。このため、ローラベース部材３はバネ８の付勢力を受けて側板３１の軸３２を支点に矢印方向に回動し、ディスク搬送ローラ６をディスク搬送位置に保持する。このとき、ディスク搬送ローラ６の一端に設けられたギア６１が図示しないシャーシ基板に設けた駆動ギアと係合する。【００１５】
図１、図２に示すディスク挿入待機状態において、ディスク５が挿入されると、この挿入を検知した図示しない検知部材からの信号に基づいて、図示しないシャーシ基板に設けた駆動ギアが回動を開始し、この駆動ギアと係合しているギア６１を介してディスク搬送ローラ６が回転する。そして、挿入されたディスク５はディスク搬送ローラ６と図示しないディスクガイドとの間に挟持されて搬送され、図３、図４に示す所定位置、つまり、ターンテーブル１６上に保持されるまで搬送される。【００１６】
ディスク５が所定位置まで搬送されると、この搬送されたディスクで押し動かされるディスク挿入検知レバー９が図１の位置から図３の位置に移動することにより、スライダ部材４をバネ４５の付勢力に抗して前方に押し動かす。このため、ラック４４が駆動ギア１０に噛合い、スライダ部材４は駆動ギア１０の回動に従い図５、図６に示すように、さらに前方に移動する。この移動に伴い、スライダ部材４の前端側のカム部４２がディスク搬送ローラ６に作用して該搬送ローラを押し下げる。このため、ローラベース部材３はバネ８の付勢力に抗して図６に示す矢印方向に回動する。【００１７】
一方、スライダ部材４の移動によって、再生ベース１の側板１１の外面に設けたピン１２、アームクランプ２の側板２１の外面に設けたピン２２がカム溝４３から開放される。このため、再生ベース１はロック解除され、例えば緩衝部材係止部７に係止されるダンパ、サスペンションバネ等の緩衝部材（図示せず）を介してシャーシ基板に揺動自在に保持される。また、アームクランプ２もロック解除され図示しない捻回バネによる付勢力の作用で回動し、ディスク５をターンテーブル１６に設置して上から押し付けて保持する。このため、車体からの振動は緩衝部材（図示せず）によって再生ベース１への伝播が防止され、ディスク５はターンテーブル１６上に確実に保持され、再生が安定に行なわれる。【００１８】
上記のディスク５の再生状態において再生が終了後、ディスク５の排出動作に移ると、駆動ギア１０が上記とは反対方向に回動し、ラック４４を介してスライダ部材４を後退させる。そして、ラック４４が駆動ギア１０から噛合いが外れると、バネ４５の付勢力で所定の位置まで後退して、再生ベース１の側板１１の外面に設けたピン１２、アームクランプ２の側板２１の外面に設けたピン２２をスライダ部材４のカム溝４３に引き入れて保持し、アームクランプ２とローラベース部材３との間に所定の間隔を形成して、図１、図２に示すディスク挿入待機状態となる。【００１９】
以上のように、この発明のディスク装置は、スライダ部材４に設けた一つのカム溝４３に再生ベース１の側板１１の外面に設けたピン１２、アームクランプ２の側板２１の外面に設けたピン２２を係合させるように構成したので、カム溝４３の溝幅とピン１２、２２の径によって、予め設定した再生ベース１とアームクランプ２との間隙を、従来の構成に見られたスライダ部材４の姿勢やカム部４２の位置寸法の影響を受けることなく確実に確保することができる。【００２０】
このため、再生ベース１とアームクランプ２との間隙がスライダ部材４の姿勢やカムの位置寸法の影響を受けて小さくなり、ディスク搬送時にディスクがアームクランプに設けられたディスク載置用ターンテーブル等に当接することにより発生するディスクへの傷付を防止することができる。【００２１】
また、アームクランプの昇降動作、再生ベースのロック・ロック解除動作をスライダ部材に設けた一つのカム溝によって実施しているため、従来の構成に見られるような、各部材に専用のカム溝を設けることが不要となり、スライダ部材の形状を縮小することができ、またスライダ部材の可動範囲も縮小できるため、装置を小型化できるという効果がある。【００２２】
実施の形態２．
上記の実施の形態１では、スライダ部材４に一つのカム溝４３を形成した例を説明したが、スライダ部材４に一つのピン４６を設け、このピンが係脱するカム状の係合部１４，２３を再生ベース１とアームクランプ２に設けても上記と同様な作用効果が得られるものである。なお、ピン４６としては、板金材の折り曲げ等によってスライダ部材に形成した突起でもよい。図９、図１０はこの実施の形態２を示す構成図であり、図９はディスク挿入待機状態における主要部のみを示す拡大斜視図、図１０はディスク再生状態における主要部のみを示す拡大斜視図である。【００２３】
図９に示すように、ディスク挿入待機状態でスライダ部材４が装置本体の奥側の所定位置に後退したとき、ピン４６がカム状の係合部１４，２３に導かれて再生ベース１とアームクランプ２との間に進入する。この結果、再生ベース１は下方に押し下げられ、アームクランプ２は上方に押し上げられ、再生ベース１とアームクランプとの間は、ピン４６の直径によってディスク５の挿入、排出を許容する隙間が確実に確保される。【００２４】
一方、図１０に示すように、ディスク再生状態となって、スライダ部材４が装置本体の前面側の所定位置に前進したとき、ピン４６がカム状の係合部１２，２２から離れて再生ベース１とアームクランプ２に作用しなくなる。この結果、再生ベース１はロック解除され、緩衝部材係止部７に係止される緩衝部材を介して図示しないシャーシ基板に揺動自在に保持される。また、アームクランプ２はターンテーブル１６に設置しているディスク５を上から該ターンテーブルに押し付け保持する。このため、車体からの振動は緩衝部材によって再生ベース１への伝播が防止され、ディスク５はターンテーブル１６上に保持され、再生が安定に行なわれる。【００２５】
なお、カム溝４３は入口部にピン１２，２２を該係合溝に導く導入案内斜面４３ａを有するので、カム溝４３に対するピン１２，２２の係合が確実に行われる。また、係合溝４３の幅はピン１２，２２の直径と近似させているので、振動等を受けてもピン１２，２２は係合溝４３内で移動することがない。つまり、再生ベース１とアームクランプ２は振動することがないため、ディスク５の挿入・排出を許容する隙間が確実に確保され、ディスク５の挿入・排出動作が安定して行われる。
【産業上の利用可能性】
【００２６】
以上のように、この発明に係るディスク装置は、アームクランプの係合部及び再生ベースの係合部とを一箇所で係合する係合部をスライダ部材に設け、アームクランプと再生ベース間に必要な間隙を確実に確保することができる構成にしたので、各カム溝の仕上がり寸法変動やガタによるスライド部材の姿勢に影響を受けることない小型のディスク装置に用いるのに適している。
【図１】
2009057234.tif 000003
【図２】
2009057234.tif 000004
【図３】
2009057234.tif 000005
【図４】
2009057234.tif 000006
【図５】
2009057234.tif 000007
【図６】
2009057234.tif 000008
【図７】
2009057234.tif 000009
【図８】
2009057234.tif 000010
【図９】
2009057234.tif 000011
【図１０】
2009057234.tif 000012
【国際調査報告】
2009057234.tif 000013
2009057234.tif 000014
2009057234.tif 000015
2009057234.tif 000016